(57)【要約】【課題】本発明は簡単な構造でありながら、室内が使用中であるか否かを夜であっても認識しやすく、体裁に優れた把持具ユニット及びその把持具ユニットを取り付けた扉を提供することを課題とする。【解決手段】扉Ｄの一部に設けられ、前記扉Ｄの厚み方向に貫通孔Ｂ１を有する固定材Ｂと、前記扉Ｄにおける室内側と室外側の双方から前記貫通孔Ｂ１に嵌入される接続部材１と、前記接続部材１に係止される把持具２とを備える把持具ユニットＹであって、前記接続部材１は、挿入孔を有する中空筒部材であって、前記中空筒部材の内壁面に第１係止部１１を有してなり、前記把持具２は、把持部３と、前記把持部３から延設され、前記接続部材１の前記挿入孔に挿入可能な挿入部４とを備え、前記挿入部４の外壁面には前記第１係止部１１と係止する第２係止部４１を有してなり、前記把持具２が透明または透光性を有する材料から形成されてなる。【選択図】図３
2014005672.tif 000002
【特許請求の範囲】
【請求項１】
扉の一部に設けられ、前記扉の厚み方向に貫通孔を有する固定材と、
前記扉における室内側と室外側の双方から前記貫通孔に嵌入される接続部材と、
前記接続部材に係止される把持具とを備える把持具ユニットであって、
前記接続部材は、挿入孔を有する中空筒部材であって、前記中空筒部材の内壁面に第１係止部を有してなり、
前記把持具は、把持部と、前記把持部から延設され、前記接続部材の前記挿入孔に挿入可能な挿入部とを備え、
前記挿入部の外壁面には前記第１係止部と係止する第２係止部を有してなり、
前記把持具が透明または透光性を有する材料から形成されてなることを特徴とする把持具ユニット。
【請求項２】
前記接続部材の前記中空筒部材の外壁面の軸方向に、凸条のリブを設けていることを特徴とする請求項１に記載の把持部ユニット。
【請求項３】
前記把持具における前記把持部と前記挿入部とを軸方向の同一直線上に配置したことを特徴とする請求項１又は請求項２に記載の把持具ユニット。
【請求項４】
前記接続部材の前記第１係止部を前記挿入孔の径方向へ弾性を有する係止片の内壁面に設けられる突起とし、
前記把持部の前記第２係止部を前記突起と係止する係止溝とすることを特徴とする請求項１から請求項３のいずれか１項に記載の把持具ユニット。
【請求項５】
請求項１から請求項４のいずれかに記載の前記把持具ユニットを取り付けた扉。
【発明の詳細な説明】
【技術分野】
【０００１】
本発明は把持具ユニット及びその把持具ユニットを取り付けた扉に関する。
【背景技術】
【０００２】
従来より、開き戸や引き戸などの扉において、室内が使用中であるか否かを示す表示手段として、扉が施錠状態の時は赤色、開錠状態の時は青色に表示される表示窓を設けた扉が存在する。
【０００３】
しかしながら、上記表示窓は、夜間等暗い状況では、その表示窓の色を認識することが困難であった。
【０００４】
そこで、室内を使用中に扉が施錠状態または開錠状態であることを、夜間であっても室外から認識し易い表示錠として、施錠表示部と、開錠表示部とが、施錠操作、または、開錠操作により切り替わって、そのいずれか一方の表示部が表示窓に表示されるように形成された表示錠において、施錠表示部、および、開錠表示部が透光性を有する材料で形成されてなるとともに、一方の面に設けられた光導入部から導入された光が、光通過部を通過して、他方の面に設けられた表示窓に表示された表示部を透光状態に表示するように形成されている明かり取り付き表示錠が公知である（特許文献１）。
【先行技術文献】
【特許文献】
【０００５】
【特許文献１】特開２００８−５７１０６号公報
【発明の概要】
【発明が解決しようとする課題】
【０００６】
しかしながら、上記特許文献１の表示錠は光通過部の両端をそれぞれ室内側の光導入部と室外側の表示窓とを連結する必要があるため、扉の厚さによって光通過部の長さを変更する必要があるうえに、構造が複雑であり、かつ、体裁に優れたものではなかった。
【０００７】
そこで、本発明は簡単な構造でありながら、室内が使用中であるか否かを夜であっても認識しやすく、体裁に優れた把持具ユニット及びその把持具ユニットを取り付けた扉を提供する。
【課題を解決するための手段】
【０００８】
上記課題を解決すべく以下の手段を講じている。
【０００９】
本発明の把持具ユニットは、扉の一部に設けられ、前記扉の厚み方向に貫通孔を有する固定材と、前記扉における室内側と室外側の双方から前記貫通孔に嵌入される接続部材と、前記接続部材に係止される把持具とを備える把持具ユニットであって、前記接続部材は、挿入孔を有する中空筒部材であって、前記中空筒部材の内壁面に第１係止部を有してなり、前記把持具は、把持部と、前記把持部から延設され、前記接続部材の前記挿入孔に挿入可能な挿入部とを備え、前記挿入部の外壁面には前記第１係止部と係止する第２係止部を有してなり、前記把持具が透明または透光性を有する材料から形成されてなる。
【００１０】
また、前記接続部材の前記中空筒部材の外壁面の軸方向に、凸条のリブを設けることができる。
【００１１】
また、前記把持具における前記把持部と前記挿入部とを軸方向の同一直線上に配置することができる。
【００１２】
また、前記接続部材の前記第１係止部を前記挿入孔の径方向へ弾性を有する係止片の内壁面に設けられる突起とし、前記把持部の前記第２係止部を前記突起と係止する係止溝とすることができる。
【００１３】
さらに、前記把持具ユニットを取り付けた扉とすることができる。
【発明の効果】
【００１４】
上述した本発明の把持具ユニット及びその把持具ユニットを取り付けた扉によれば、扉を開閉するために必須の構成である把持具に表示機能と明り取りの役目を担わすことで、従来のような表示窓、若しくは、その表示窓を構成するための台座等を設ける必要が無くなり、非常に簡単な構造でありながら、機能的で、シンプルかつ体裁に優れたものとすることができた。
【００１５】
また、扉厚の変化に自在に対応可能なものとすることができた。
【図面の簡単な説明】
【００１６】
【図１】本発明の実施形態における把持具ユニットを取り付けた扉の全体斜視図である。
【図２】本発明の実施形態における把持具ユニットを取り付けた扉の図１の把持具付近の要部の拡大図である。
【図３】本発明の実施形態における把持具ユニットを取り付けた扉の図２の分解斜視図である。
【図４】本発明の実施形態における把持具ユニットを取り付けた扉の図１の把持具付近の要部拡大正面図である。
【図５】本発明の実施形態における把持具ユニットを取り付けた扉の図４のＡ−Ａ線断面図である。
【図６】本発明の実施形態における把持具ユニットを取り付けた扉の図２の分解した部分断面図である。
【図７】本発明の実施形態における把持具ユニットを取り付けた扉の図５のＢ−Ｂ線断面図である。
【発明を実施するための形態】
【００１７】
以下、本発明の把持具ユニットＹ及びその把持具ユニットＹを取り付けた扉Ｄの実施形態について図面に基づいて説明する。
【００１８】
本発明の実施形態の把持具ユニットＹとは図１及び図２に示すように把持具２と接続部材１からなるものであり、把持具２は図１及び図２に示すように、扉Ｄを開閉するための持ち手として使用されるものであり、扉Ｄ内部における適宜位置の一部に設けられた固定材Ｂに、接続部材１を介して、扉Ｄの室内側と室外側にそれぞれ取り付けられるものである。
【００１９】
接続部材１は、把持具２と扉Ｄとを接続すると共に把持具２を扉Ｄに固定するためのものである。接続部材１は挿入孔を有し、把持具２の挿入部４が挿入可能となっており、その挿入された挿入部４が係止可能となる第１係止部１１を有していると共に、扉Ｄに設けられた固定材Ｂに挿入することで、扉Ｄに固定可能となっている。
【００２０】
具体的には、図３に示すように接続部材１は中空円柱形状に形成される中空筒部材の当該一端側に周方向に向けて略直角にフランジ１４が設けられている。また、接続部材１の外壁面にはフランジ１４部分から他端側に向けて、軸方向に凸条のリブ１２が複数本等間隔に形成されている。この凸条のリブ１２の周方向の高さは、フランジ１４側から他端側に向かうに従って徐々に低くなり、他端側近傍は接続部材１の周壁面と略同一になるように形成されていることが好ましい。また、リブ１２の本数は６〜８本程度とすることが好ましい。
【００２１】
そして、接続部材１の内壁面には、第１係止部１１が設けられている。本実施形態では、フランジ１４の近傍から他端側の軸方向に向けて平行する２本の矩形状の切欠き部を設けることで、係止片１３を形成している。そして、その係止片１３の外壁面側の肉厚を薄くすることで、弾性変形可能となり、係止片１３を撓み易くしている。
【００２２】
また、係止片１３の内壁面側には、把持具２を接続部材１に挿入した際に挿入部４に設けられた第２係止部４１となる係止溝に対応する位置に、内壁面側に向けて第１係止部１１となる突起が設けられている。本実施形態の係止部は、接続部材１の壁面に３か所、等間隔に設けられている。
【００２３】
把持具２は、図３に示すように持ち手となる把持部３と、接続部材１に挿入する挿入部４とからなり、挿入部４には接続部材１に設けられている第１係止部１１と係止する第２係止部４１が設けられている。
【００２４】
把持部３及び挿入部４は、透明または透光性を有しており、例えばアクリル樹脂、ＡＢＳ樹脂、ガラス等からなる。また、樹脂やガラスの中に気泡を混入させ、把持部３や挿入部４の内部に泡の模様を形成することもできるし、有色とすることもできる。
【００２５】
ここで、「透明」とは透過率が極めて高く、物質を通してその向こう側が透けて見える状態のことをいい、「透光性を有する」とは透明と同様に光が透過する性質を有しているが、透過する光が拡散するため、または、透過率が低いために、透明と異なり、その材質を通じて向こう側の形状等を明確に認識できないか、または、全く認識できない状態のことをいう。
【００２６】
具体的に把持具２は、円柱形状の把持部３と、その把持部３の軸方向の他端面側の略中央に把持部３よりも短い直径を有する円柱形状の挿入部４が凸状に形成されている。つまり、把持具２における把持部３と挿入部４とを軸方向の同一直線上に配置している。そして、挿入部４の把持部３側とは反対の他端側付近の外壁面には、第２係止部４１となる係止溝が形成されている。この係止溝は周状に形成されることが好ましい。
【００２７】
本実施形態の把持部３は円柱形状としているが、扉Ｄを開閉する際に、持ち手となることが可能であれば、例えば、四角柱等の多角柱や、星形多角柱、星形多角反柱等とすることができる。また、挿入部４は接続部材１に挿入することが可能であって、接続部材１と係止可能な構造であればどのような形状であっても構わない。
【００２８】
ところで、本発明の把持具２は、接続部材１を介して扉Ｄに取り付けられるが、通常室内で使用される扉Ｄは軽量化、コストダウン等の理由から木材などの骨組みを作りその両面に合板等を貼り付けた中空構造となっているため、本発明の把持具２を扉Ｄに取り付けるためには、接続部材１を固定するための固定材Ｂを扉Ｄ内部に設ける必要がある。
【００２９】
固定材Ｂは、図１に示すように、把持具２を取り付ける適宜の位置の扉Ｄ内部に設ける。固定材Ｂの厚さは、扉Ｄ厚さと略同一であり、固定材Ｂの面積は把持具２が取り付け可能な適宜の大きさあれば足りる。固定材Ｂと扉Ｄとは接着剤等の適宜の方法で固定する。また、固定材Ｂはムク等の木材からなる。
【００３０】
そして、図３に示すように固定材Ｂには接続部材１と略同じ断面形状を有する貫通孔Ｂ１が設けられている。
【００３１】
本発明で使用する扉Ｄは、引き戸扉Ｄや折れ戸扉Ｄであることが好ましい。本発明の把持具２は回動可能に扉Ｄに取り付ける構造ではなく、開き戸扉Ｄに通常必要なラッチ錠を構成出来ないためである。
【００３２】
また扉Ｄには、上記固定材Ｂ及び接続部材１と略同じ断面形状を有する貫通孔Ｂ１が設けられている。
【００３３】
上記のように構成される把持具ユニットＹは以下のようにして扉Ｄに取り付けられる。
【００３４】
図１は把持具２を引き戸扉Ｄに取り付けた状態を示す斜視図であり、図２及び図４は把持具２を引き戸扉Ｄに取り付けた状態の把持具２付近を拡大した斜視図と正面図である。
【００３５】
まず、図１に示すように、把持具２を取り付けたい位置に固定材Ｂの貫通孔Ｂ１が位置するように、固定材Ｂを扉Ｄ間内に設けると共に、扉Ｄの室内側と室内側にもこの固定材Ｂの貫通孔Ｂ１と対応する貫通孔を設ける。
【００３６】
次に、接続部材１を扉Ｄの室内側の貫通孔Ｂ１と室外側の貫通孔Ｂ１にそれぞれフランジ１４が設けられていない端部側から嵌入する。ここで、扉Ｄと固定材Ｂの貫通孔Ｂ１の内周径と、接続部材１の外周径とは略同一に形成しているので、接続部材１を貫通孔Ｂ１に嵌め込みながら押し込み、貫通孔Ｂ１に嵌入させる。このとき、固定材Ｂはムク等の木材から構成されているため、接続部材１を押し込みながら嵌入する際に、接続部材１の外周壁に設けられた凸条のリブ１２が、固定材Ｂに入り込むことにより、固定材Ｂにしっかり固定される（図５、図７参照）。この凸条のリブ１２の周方向の高さを、フランジ１４側から他端側に向かうに従って徐々に低くし、他端側近傍は接続部材１の周壁面と略同一になるように形成しておけば、固定材Ｂに接続部材１を嵌入させるときに抵抗が少なくなり押し込み易くなる。
【００３７】
そして、接続部材１を固定材Ｂに一定程度押し込むと、接続部材１に設けられたフランジ１４と扉Ｄが当接して位置決めされ固定される（図５）。
【００３８】
次に、固定材Ｂに固定された室内側と室外側とのそれぞれの接続部材１に、把持具２を挿入部４側からそれぞれ挿入する。
【００３９】
そして、接続部材１の内周径と把持具２の挿入部４の外周径とを略同一形成しておき、把持具２の挿入部４を接続部材１に押し込むようにして挿入させると共に、挿入部４の第２係止部４１（係止溝）に接続部材１の係止片１３に設けられた第１係止部１１（突起）が係止することで、把持具２が接続部材１に固定されることとなる（図５）。
【００４０】
詳述すると、把持具２の挿入部４を接続部材１に押し込んでいくと、係止片１３の内周側に設けられた突起に、挿入部４の外周壁面が当接するが、突起が形成されている付近の接続部材１の内周径は、挿入部４の外周径よりもその突起の長さ分だけ短くなるため、挿入部４の外周壁によって、係止片１３が外周側方向に押される。
【００４１】
しかし、係止片１３は、係止片１３の外壁側の肉厚を薄くしているため、外周方向に弾性変形し易くしていると共に、その薄くした肉厚の厚みは、突起が内周側に突出している長さと略同じ厚みか、それよりも僅かに厚い厚さとしていることによって、固定材Ｂに固定された状態の接続部材１内を、把持具２の挿入部４の外周壁が係止片１３の突起付近を通過するときに、係止片１３が弾性変形により押し広げられ、係止溝に突起を係止させた後は、元の状態に戻るようになっている。
【００４２】
このようにして把持具２を取り付けた扉Ｄは、図１、図２、図４、図５に示すように把持具２が室内側と室外側とに、貫通孔Ｂ１を通じて対向して設けられることになる。
【００４３】
この場合、把持具２の把持部３と挿入部４が透明な部材からなる場合、室外側に取り付けた把持具２の把持部３からは、貫通孔Ｂ１を通じて室内側の光を透過することが可能となると共に、室外側の把持部３の端面側から室内側を覗くと、室内側の様子を伺うことが可能となる。
【００４４】
また、同様に、室内側から室外側の光を透過することが可能となると共に、室内側の把持部３の端面側から室外側を覗くと、室内側の様子を伺うことが可能となる。
【００４５】
また、透明な部材からなり、対向するように設けられた把持具２の挿入部４の端面のどちらか一方、または、両方の表面をスリ加工等することにより、細かい凹凸をつけて、透光性を有することとすれば、視界を遮りながら、柔らかい光を透過させることが可能である。
【００４６】
このことにより、扉Ｄに取り付けられた把持具２を介して、室外側から室内側の照明の点灯の有無を確認することができるため、把持具２が、室内を使用中か否かを確認す表示機能を有すると共に、明り取りの役目も担うこととなり、室内の照明の消し忘れを防止することも可能となる。
【００４７】
そして、例えば、暗い廊下側から照明の付いた室内に入る際、容易に把持具２の位置を確認することができる。
【００４８】
また、把持具２によって室外側から室内側を覗くことが可能となれば、例えば、室内で就寝している子供や高齢者等の様子を確認する際、扉Ｄの開閉によって、就寝を妨げることなく、様子を伺うことが可能となる。
【００４９】
また、プライバシーを守りたい部屋の扉Ｄに取り付ける場合は、把持具２を上述したように透光性を有することにすれば、プライバシーを守ることが可能となる。
【００５０】
以上説明した本発明に係る把持具ユニットＹ及びその把持具ユニットＹを取り付けた扉Ｄによれば、扉Ｄを開閉するために必須の構成である把持具２に表示機能と明り取りの役目を担わすことで、従来のような表示窓、若しくは、その表示窓を構成するための台座等を設ける必要が無くなり、非常に簡単な構造でありながら、機能的で、シンプルかつ体裁に優れたものとすることができた。
【００５１】
また、本発明の把持具２は、接続部材１を扉Ｄの室内側の貫通孔Ｂ１と室外側の貫通孔Ｂ１にそれぞれ嵌入し、その接続部材１に把持具２を挿入し嵌合させる構造であるため（図５、６参照）、従来の表示錠のように、扉Ｄの厚さによって光通過部の長さを変更する必要もなく、一定の厚み以上の扉Ｄであれば、扉Ｄの厚みを気にすることなく取り付け可能である。つまり、扉Ｄ厚の変化に自在に対応可能なものとすることができた。
【００５２】
当該発明は、上述の実施形態の構成に限定されるものではなく、把持具２、挿入部４接続部材１の形状、材料、更には、係止溝、係止部の構造、形状、寸法等を適宜変更して実施することが可能である。例えば、把持部３の係止溝と接続部材１の突起を置換することもできる。また、把持具の外壁面をスリ加工等することで透光性を有することとすることもできる。さらに、一部構成を省略することができるし、一部抽出した構成とすることができることは勿論である。
【符号の説明】
【００５３】
Ｄ    扉
Ｂ    固定材
Ｂ１  貫通孔
Ｙ    把持具ユニット
１    接続部材
１１  第１係止部
１２  リブ
１３  係止片
１４  フランジ
２    把持具
３    把持部
４    挿入部
４１  第２係止部
【図１】
2014005672.tif 000003
【図２】
2014005672.tif 000004
【図３】
2014005672.tif 000005
【図４】
2014005672.tif 000006
【図５】
2014005672.tif 000007
【図６】
2014005672.tif 000008
【図７】
2014005672.tif 000009